(57)【要約】【課題】テレビチューナの体積を低減し、デジタルテレビ及びセットトップボックスの携帯を可能にするテレビチューナを提供する。【解決手段】ＵＨＦトラッキングフィルタ１０５、ＵＨＦ整合回路１０９及びシングルコンバージョンチューナ集積回路１１７を備える。ＵＨＦトラッキングフィルタ１０５は、互いに電気的に接続された第１のＬＴＣＣインダクタ、第１のバラクタダイオード及び微調整コンデンサを含み、ＵＨＦトラッキングフィルタ１０５の最大利得周波数を決定する。ＵＨＦ整合回路１０９は、互いに電気的に接続された第２のＬＴＣＣインダクタ、第２のバラクタダイオード及びコンデンサを含み、ＵＨＦ整合回路１０９の最大利得周波数を決定する。【選択図】図１
2008072684.tif 000002
【特許請求の範囲】
【請求項１】
ＵＨＦトラッキングフィルタ、ＵＨＦ整合回路及びシングルコンバージョンチューナ集積回路を備えたテレビチューナであって、
前記ＵＨＦトラッキングフィルタは、互いに電気的に接続された第１のＬＴＣＣインダクタ、第１のバラクタダイオード及び微調整コンデンサを含み、前記ＵＨＦトラッキングフィルタの最大利得周波数を決定し、
前記ＵＨＦ整合回路は、互いに電気的に接続された第２のＬＴＣＣインダクタ、第２のバラクタダイオード及びコンデンサを含み、前記ＵＨＦ整合回路の最大利得周波数を決定することを特徴とするテレビチューナ。
【請求項２】
前記ＵＨＦトラッキングフィルタの入力端子に電気的に接続され、入力信号を増幅するプリアンプと、
前記ＵＨＦトラッキングフィルタと前記ＵＨＦ整合回路の間に電気的に接続され、前記ＵＨＦトラッキングフィルタの出力信号を増幅する第２の増幅器と、
をさらに備えることを特徴とする請求項１に記載のテレビチューナ。
【請求項３】
前記微調整コンデンサ及び前記第１のバラクタダイオードの容量値は、前記ＵＨＦトラッキングフィルタの最大利得周波数と反比例の関係にあることを特徴とする請求項１に記載のテレビチューナ。
【請求項４】
前記第２のバラクタダイオードの容量値及び前記第２のＬＴＣＣインダクタのインダクタンスは、前記ＵＨＦ整合回路の最大利得周波数と反比例の関係にあることを特徴とする請求項１に記載のテレビチューナ。
【請求項５】
前記シングルコンバージョンチューナ集積回路は、第３のバラクタダイオード、第３の微調整コンデンサ、第３の可変コンデンサ、第３のＬＴＣＣインダクタ及び第３の抵抗を備え、
前記第３の微調整コンデンサは、前記第３のバラクタダイオードに並列接続され、
前記第３の可変コンデンサは、第１の端子が前記第３のバラクタダイオード及び前記第３の微調整コンデンサの第１の端子に接続され、
前記第３のＬＴＣＣインダクタは、第１の端子が前記第３の可変コンデンサの第２の端子に電気的に接続され、第２の端子が前記第３のバラクタダイオードの第２端子及び前記第３の微調整コンデンサの第２の端子に電気的に接続され、
前記第３の抵抗は、第１の端子が前記第３のバラクタダイオードの第１の端子、前記第３の微調整コンデンサの第１の端子及び前記第３の可変コンデンサの第１の端子に電気的に接続され、第２の端子がＵＨＦ変調電圧生成端子に電気的に接続されていることを特徴とする請求項１に記載のテレビチューナ。
【請求項６】
ＵＨＦ変調電圧は、前記第１のバラクタダイオード及び前記第２のバラクタダイオードの容量値と反比例の関係にあることを特徴とする請求項５に記載のテレビチューナ。
【請求項７】
ＶＨＦトラッキングフィルタ、ＶＨＦ整合回路及びシングルコンバージョンチューナ集積回路を備えたテレビチューナであって、
前記ＶＨＦトラッキングフィルタは、互いに電気的に接続された第１のＬＴＣＣインダクタ、第１のバラクタダイオード及び微調整コンデンサを含み、前記ＶＨＦトラッキングフィルタの最大利得周波数を決定し、
前記ＶＨＦ整合回路は、互いに電気的に接続された第２のＬＴＣＣインダクタ、第２のバラクタダイオード及びコンデンサを含み、前記ＶＨＦ整合回路の最大利得周波数を決定することを特徴とするテレビチューナ。
【請求項８】
前記ＶＨＦトラッキングフィルタの入力端子に電気的に接続され、入力信号を増幅するプリアンプと、
前記ＶＨＦトラッキングフィルタと前記ＶＨＦ整合回路の間に電気的に接続され、前記ＶＨＦトラッキングフィルタの出力信号を増幅する第２の増幅器と、
をさらに備えることを特徴とする請求項７に記載のテレビチューナ。
【請求項９】
前記微調整コンデンサ及び前記第１のバラクタダイオードの容量値は、前記ＶＨＦトラッキングフィルタの最大利得周波数と反比例の関係にあることを特徴とする請求項７に記載のテレビチューナ。
【請求項１０】
前記第２のＬＴＣＣインダクタのインダクタンスは、前記ＶＨＦ整合回路の最大利得周波数と正比例の関係にあることを特徴とする請求項７に記載のテレビチューナ。
【請求項１１】
前記シングルコンバージョンチューナ集積回路は、第３のバラクタダイオード、第３の微調整コンデンサ、第３の可変コンデンサ、第３のＬＴＣＣインダクタ及び第３の抵抗を備え、
前記第３のＬＴＣＣインダクタは、第１の端子が前記第３の可変コンデンサの第１の端子に電気的に接続され、第２の端子が前記第３のバラクタダイオードの第１の端子及び前記第３の微調整コンデンサの第１の端子に電気的に接続され、前記第３の可変コンデンサの第２の端子は、前記第３のバラクタダイオードの第２の端子及び前記第３の微調整コンデンサの第２の端子に電気的に接続され、
前記第３の抵抗は、第１の端子が前記第３の可変コンデンサの第２端子に電気的に接続され、第２の端子がＶＨＦ変調電圧生成端子に電気的に接続されていることを特徴とする請求項７に記載のテレビチューナ。
【請求項１２】
ＶＨＦ変調電圧は、前記第１のバラクタダイオード及び前記第２のバラクタダイオードの容量値と反比例の関係にあることを特徴とする請求項１１に記載のテレビチューナ。
【発明の詳細な説明】
【技術分野】
【０００１】
本発明は、テレビチューナに関し、特にＵＨＦ（Ｕｌｔｒａ  Ｈｉｇｈ  Ｆｒｅｑｕｅｎｃｙ）／ＶＨＦ（Ｖｅｒｙ  Ｈｉｇｈ  Ｆｒｅｑｕｅｎｃｙ）テレビチューナに関する。
【背景技術】
【０００２】
通信技術及び圧縮技術の進歩に伴い、テレビ放送は、アナログ放送からデジタル放送へ移行してきている。このデジタル放送への移行は、デジタルテレビ、セットトップボックス（Ｓｅｔ  Ｔｏｐ  Ｂｏｘ：ＳＴＢ）などの関連産業を急速に発展させている。そしてデジタルテレビやセットトップボックス、さらには携帯型受信システムにとってチューナ（ｔｕｎｅｒ）回路は、非常に重要である。テレビチューナの機能は、受信した周波数信号を増幅してから所望のチャンネルを選択して不要なチャンネルをフィルタすることにより、ダウンコンバートの最中に、不要なチャンネルが所望のチャンネルと干渉しないようにし、フィルタされた周波数信号を中間周波数へダウンコンバートすることである。
【０００３】
携帯式デジタルテレビの急速な発展に伴い、デジタルテレビ及びセットトップボックスに対する小型化の要求は高まってきている。しかし、テレビチューナで使用する空芯コイルは、大きな空間とプリント回路基板用の面積とが必要となるだけでなく、手作業による装着が必要であったために生産コストが増大し、体積が大きすぎるためにデジタルＴＶを携帯することは困難であった。
【０００４】
従って、手作業による装着が必要ない上、生産コストを減らし、デジタルテレビの携帯が可能な小型のテレビチューナが求められていた。
【発明の開示】
【発明が解決しようとする課題】
【０００５】
本発明の目的は、テレビチューナの体積を低減し、デジタルテレビ及びセットトップボックスの携帯を可能にするテレビチューナを提供することにある。
【課題を解決するための手段】
【０００６】
（１）  ＵＨＦトラッキングフィルタ、ＵＨＦ整合回路及びシングルコンバージョンチューナ集積回路を備えたテレビチューナであって、前記ＵＨＦトラッキングフィルタは、互いに電気的に接続された第１のＬＴＣＣインダクタ、第１のバラクタダイオード及び微調整コンデンサを含み、前記ＵＨＦトラッキングフィルタの最大利得周波数を決定し、前記ＵＨＦ整合回路は、互いに電気的に接続された第２のＬＴＣＣインダクタ、第２のバラクタダイオード及びコンデンサを含み、前記ＵＨＦ整合回路の最大利得周波数を決定することを特徴とするテレビチューナ。
【０００７】
（２）  前記ＵＨＦトラッキングフィルタの入力端子に電気的に接続され、入力信号を増幅するプリアンプと、前記ＵＨＦトラッキングフィルタと前記ＵＨＦ整合回路の間に電気的に接続され、前記ＵＨＦトラッキングフィルタの出力信号を増幅する第２の増幅器と、をさらに備えることを特徴とする（１）に記載のテレビチューナ。
【０００８】
（３）  前記微調整コンデンサ及び前記第１のバラクタダイオードの容量値は、前記ＵＨＦトラッキングフィルタの最大利得周波数と反比例の関係にあることを特徴とする（１）に記載のテレビチューナ。
【０００９】
（４）  前記第２のバラクタダイオードの容量値及び前記第２のＬＴＣＣインダクタのインダクタンスは、前記ＵＨＦ整合回路の最大利得周波数と反比例の関係にあることを特徴とする（１）に記載のテレビチューナ。
【００１０】
（５）  前記シングルコンバージョンチューナ集積回路は、第３のバラクタダイオード、第３の微調整コンデンサ、第３の可変コンデンサ、第３のＬＴＣＣインダクタ及び第３の抵抗を備え、前記第３の微調整コンデンサは、前記第３のバラクタダイオードに並列接続され、前記第３の可変コンデンサは、第１の端子が前記第３のバラクタダイオード及び前記第３の微調整コンデンサの第１の端子に接続され、前記第３のＬＴＣＣインダクタは、第１の端子が前記第３の可変コンデンサの第２の端子に電気的に接続され、第２の端子が前記第３のバラクタダイオードの第２端子及び前記第３の微調整コンデンサの第２の端子に電気的に接続され、前記第３の抵抗は、第１の端子が前記第３のバラクタダイオードの第１の端子、前記第３の微調整コンデンサの第１の端子及び前記第３の可変コンデンサの第１の端子に電気的に接続され、第２の端子がＵＨＦ変調電圧生成端子に電気的に接続されていることを特徴とする（１）に記載のテレビチューナ。
【００１１】
（６）  ＵＨＦ変調電圧は、前記第１のバラクタダイオード及び前記第２のバラクタダイオードの容量値と反比例の関係にあることを特徴とする（５）に記載のテレビチューナ。
【００１２】
（７）  ＶＨＦトラッキングフィルタ、ＶＨＦ整合回路及びシングルコンバージョンチューナ集積回路を備えたテレビチューナであって、前記ＶＨＦトラッキングフィルタは、互いに電気的に接続された第１のＬＴＣＣインダクタ、第１のバラクタダイオード及び微調整コンデンサを含み、前記ＶＨＦトラッキングフィルタの最大利得周波数を決定し、前記ＶＨＦ整合回路は、互いに電気的に接続された第２のＬＴＣＣインダクタ、第２のバラクタダイオード及びコンデンサを含み、前記ＶＨＦ整合回路の最大利得周波数を決定することを特徴とするテレビチューナ。
【００１３】
（８）  前記ＶＨＦトラッキングフィルタの入力端子に電気的に接続され、入力信号を増幅するプリアンプと、前記ＶＨＦトラッキングフィルタと前記ＶＨＦ整合回路の間に電気的に接続され、前記ＶＨＦトラッキングフィルタの出力信号を増幅する第２の増幅器と、をさらに備えることを特徴とする（７）に記載のテレビチューナ。
【００１４】
（９）  前記微調整コンデンサ及び前記第１のバラクタダイオードの容量値は、前記ＶＨＦトラッキングフィルタの最大利得周波数と反比例の関係にあることを特徴とする（７）に記載のテレビチューナ。
【００１５】
（１０）  前記第２のＬＴＣＣインダクタのインダクタンスは、前記ＶＨＦ整合回路の最大利得周波数と正比例の関係にあることを特徴とする（７）に記載のテレビチューナ。
【００１６】
（１１）  前記シングルコンバージョンチューナ集積回路は、第３のバラクタダイオード、第３の微調整コンデンサ、第３の可変コンデンサ、第３のＬＴＣＣインダクタ及び第３の抵抗を備え、前記第３のＬＴＣＣインダクタは、第１の端子が前記第３の可変コンデンサの第１の端子に電気的に接続され、第２の端子が前記第３のバラクタダイオードの第１の端子及び前記第３の微調整コンデンサの第１の端子に電気的に接続され、前記第３の可変コンデンサの第２の端子は、前記第３のバラクタダイオードの第２の端子及び前記第３の微調整コンデンサの第２の端子に電気的に接続され、前記第３の抵抗は、第１の端子が前記第３の可変コンデンサの第２端子に電気的に接続され、第２の端子がＶＨＦ変調電圧生成端子に電気的に接続されていることを特徴とする（７）に記載のテレビチューナ。
【００１７】
（１２）  ＶＨＦ変調電圧は、前記第１のバラクタダイオード及び前記第２のバラクタダイオードの容量値と反比例の関係にあることを特徴とする（１１）に記載のテレビチューナ。
【発明の効果】
【００１８】
本発明のテレビチューナは、トラッキングフィルタ、整合回路及びシングルコンバージョンチューナ集積回路の中において、従来の空芯コイルインダクタに替えてＬＴＣＣインダクタを用いるため、デジタルテレビ又はセットトップボックスの体積が大幅に低減し、デジタルテレビ又はセットトップボックスを携帯することが可能となる。
【発明を実施するための最良の形態】
【００１９】
以下、添付図面を参照して本発明の好適な実施形態について詳細に説明する。
（第１実施形態）
図１を参照する。図１は、本発明の好適な一実施形態によるＵＨＦテレビチューナ回路を示すブロック図である。このＵＨＦテレビチューナ回路は、互いに電気的に接続されたアンテナ１０１、プリアンプ（ｐｒｅ−ａｍｐｌｉｆｉｅｒ）１０３、ＵＨＦトラッキングフィルタ（ｔｒａｃｋｉｎｇ  ｆｉｌｔｅｒ）１０５、第２の増幅器１０７、ＵＨＦ整合回路（ｍａｔｃｈｉｎｇ  ｃｉｒｃｕｉｔ）１０９及びシングルコンバージョンチューナ集積回路（ｓｉｎｇｌｅ  ｃｏｎｖｅｒｓｉｏｎ  ｔｕｎｅｒ  ＩＣ）１１７からなる。また、ＵＨＦトラッキングフィルタ１０５、ＵＨＦ整合回路１０９及びシングルコンバージョンチューナ集積回路１１７の中では、空芯コイルインダクタの替わりにＬＴＣＣ（Ｌｏｗ−Ｔｅｍｐｅｒａｔｕｒｅ  Ｃｏ−ｆｉｒｅｄ  Ｃｅｒａｍｉｃｓ）インダクタが使用されている。
【００２０】
図２Ａを参照する。図２Ａは、本発明の第１実施形態によるＵＨＦトラッキングフィルタ１０５を示す回路図である。ＵＨＦトラッキングフィルタ１０５は、第１のバラクタダイオード２１３ａ、微調整コンデンサ（ｆｉｎｅ−ｔｕｎｅ  ｃａｐａｃｉｔｏｒ）２１５ａ及び第１のＬＴＣＣインダクタ２０９ａを含む。第１のバラクタダイオード２１３ａは、微調整コンデンサ２１５ａに直列接続され、第１のＬＴＣＣインダクタ２０９ａは、直列接続された第１のバラクタダイオード２１３ａ及び微調整コンデンサ２１５ａに並列接続され、第１のバラクタダイオード２１３ａ及び第１のＬＴＣＣインダクタ２０９ａに電気的に接続されている複数の他のコンデンサ及び複数の他のインダクタをさらに含んでもよい。
【００２１】
図２Ｂを参照する。図２Ｂは、ＵＨＦトラッキングフィルタ１０５の周波数応答（ｆｒｅｑｕｅｎｃｙ  ｒｅｓｐｏｎｓｅ）を示すグラフである。微調整コンデンサ２１５ａ及び第１のバラクタダイオード２１３ａの容量値は、ＵＨＦトラッキングフィルタ１０５の最大利得周波数（ｍａｘｉｍｕｍ  ｇａｉｎ  ｆｒｅｑｕｅｎｃｙ）と反比例の関係にあるため、微調整コンデンサ２１５ａ及び第１のバラクタダイオード２１３ａの容量値を調整すると、ＵＨＦトラッキングフィルタ１０５の発振周波数を変えることができる。微調整コンデンサ２１５ａ又は第１のバラクタダイオード２１３ａの容量値が増大すると、ＵＨＦトラッキングフィルタ１０５の周波数応答は、変化前の周波数応答２０１ｂ（実線）から変化後の周波数応答２０３ｂ（点線）へ下がり、反対に容量値が減少すると、ＵＨＦトラッキングフィルタ１０５の最大利得周波数は上がる。
【００２２】
図３Ａを参照する。図３Ａは、本発明の第１実施形態によるＵＨＦ整合回路１０９を示す回路図である。ＵＨＦ整合回路１０９は、第２のＬＴＣＣインダクタ３０５ａ、第２のバラクタダイオード３１３ａ及びコンデンサ３０７ａを含む。第２のバラクタダイオード３１３ａは、コンデンサ３０７ａに直列接続され、第２のＬＴＣＣインダクタ３０５ａは、直列接続された第２のバラクタダイオード３１３ａ及びコンデンサ３０７ａに並列接続されている。また、ＵＨＦ整合回路１０９は、第２のＬＴＣＣインダクタ３０５ａ、第２のバラクタダイオード３１３ａ及びコンデンサ３０７ａに電気的に接続された複数の抵抗及びその他のコンデンサをさらに含んでもよい。
【００２３】
図３Ｂを参照する。図３Ｂに示すように、ＵＨＦ整合回路１０９の周波数応答は、第２のＬＴＣＣインダクタ３０５ａのインダクタンス及び第２のバラクタダイオード３１３ａの容量値がＵＨＦ整合回路１０９の最大利得周波数と反比例の関係にあるため、第２のＬＴＣＣインダクタ３０５ａのインダクタンス及び第２のバラクタダイオード３１３ａの容量値を調整すると、ＵＨＦ整合回路１０９の発振周波数を変えることができる。第２のＬＴＣＣインダクタ３０５ａのインダクタンス又は第２のバラクタダイオード３１３ａの容量値が増大すると、ＵＨＦ整合回路１０９の周波数応答は、変化前の周波数応答３０１ｂ（実線）から変化後の周波数応答３０３ｂ（点線）へ下がり、反対に容量値が減少すると、最大利得周波数は上がる。
【００２４】
（第２実施形態）
再び図１を参照する。図１は、本発明の好適な一実施形態によるＶＨＦテレビチューナ回路を示すブロック図である。このＶＨＦテレビチューナ回路は、互いに接続されたアンテナ１０１、プリアンプ１０３、ＶＨＦトラッキングフィルタ１１１、第２の増幅器１１３、ＶＨＦ整合回路１１５及びシングルコンバージョンチューナ集積回路１１７からなる。第２実施形態は、第１実施形態と異なり二つの回路の動作周波数が異なる。また、ＶＨＦトラッキングフィルタ１１１、ＶＨＦ整合回路１１５及びシングルコンバージョンチューナ集積回路１１７の中では、空芯コイルインダクタの替わりにＬＴＣＣインダクタが使用されている。
【００２５】
図４Ａを参照する。図４Ａは、本発明の第２実施形態によるＶＨＦトラッキングフィルタ１１１を示す回路図である。図４Ａに示すＶＨＦトラッキングフィルタ１１１は、図２Ａに示すＵＨＦトラッキングフィルタ１０５と略同じであるが、第１のＬＴＣＣインダクタ２０９ａの部分が省略され、コンデンサ２０３ａがＬＴＣＣインダクタ４０３ａに替えられている点において異なる。
【００２６】
図４Ｂを参照する。図４Ｂは、ＶＨＦトラッキングフィルタ１１１の周波数応答を示すグラフである。図４Ｂに示すように、ＶＨＦトラッキングフィルタ１１１の最大利得周波数の変調は、図２Ａに示す第１実施形態によるＵＨＦトラッキングフィルタ１０５と略同じであり、単に動作周波数のみが異なる。微調整コンデンサ４１５ａ及び第１のバラクタダイオード４１３ａの容量値は、ＶＨＦトラッキングフィルタ１１１の最大利得周波数と反比例の関係にあるため、微調整コンデンサ４１５ａ及び第１のバラクタダイオード４１３ａの容量値を調整すると、ＶＨＦトラッキングフィルタ１１１の発振周波数を変えることができる。微調整コンデンサ４１５ａ又は第１のバラクタダイオード４１３ａの容量値が増大すると、ＶＨＦトラッキングフィルタ１１１の周波数応答は、変化前の周波数応答４０１ｂ（実線）から変化後の周波数応答４０３ｂ（点線）へ下がり、反対に容量値が減少すると、ＶＨＦトラッキングフィルタ１１１の最大利得周波数は上がる。
【００２７】
図５Ａを参照する。図５Ａは、本発明の第２実施形態によるＶＨＦ整合回路１１５を示す回路図である。ＶＨＦ整合回路１１５の中の第２のバラクタダイオード５０９ａは、コンデンサ５０７ａに直列接続され、第２のＬＴＣＣインダクタ５０３ａは、直列接続された第２のバラクタダイオード５０９ａ及びコンデンサ５０７ａに並列接続されている。また、ＶＨＦ整合回路１１５は、第２のＬＴＣＣインダクタ５０３ａ、第２のバラクタダイオード５０９ａ及びコンデンサ５０７ａに電気的に接続された複数の抵抗及びその他のコンデンサをさらに含んでもよい。
【００２８】
図５Ｂを参照する。図５Ｂは、ＶＨＦ整合回路１１５の周波数応答を示すグラフである。図５Ｂに示すように、ＶＨＦ整合回路１１５の周波数応答は、第２のＬＴＣＣインダクタ５０３ａのインダクタンスがＶＨＦ整合回路１１５の最大利得周波数と正比例の関係にあるため、第２のＬＴＣＣインダクタ５０３ａのインダクタンスを調整すると、ＶＨＦ整合回路１１５の最大利得周波数を調整することができる。第２のＬＴＣＣインダクタ５０３ａのインダクタンスが増大すると、ＶＨＦ整合回路１１５の最大利得周波数は、変化前の最大利得点５０１ｂ（実線５０５ｂ）から変化後の最大利得点５０３ｂ（点線５０７ｂ）へ上がり、反対に第２のＬＴＣＣインダクタ５０３ａのインダクタンスが減少すると、最大利得周波数は下がる。
【００２９】
図６を参照する。図６は、本発明の好適な一実施形態によるシングルコンバージョンチューナ集積回路１１７の中にある発振周波数生成回路を示す回路図である。この発振周波数生成回路は、ＵＨＦ変調電圧生成端子６３９に電気的に接続され、ＵＨＦ変調電圧と関係する第３のバラクタダイオード６１５、第３の微調整コンデンサ６１７、第３の可変コンデンサ６１３、第３のＬＴＣＣインダクタ６１１及び第３の抵抗６２１、並びにＶＨＦ変調電圧生成端子６４０に電気的に接続され、ＶＨＦ変調電圧と関係する第３のバラクタダイオード６２９、第３の微調整コンデンサ６３１、第３の可変コンデンサ６３３、第３のＬＴＣＣインダクタ６２７及び第３の抵抗６３５を含む。
【００３０】
ＵＨＦ変調電圧と関係する回路において、第３の微調整コンデンサ６１７は、第３のバラクタダイオード６１５に並列接続され、第３の可変コンデンサ６１３の第１の端子は、並列接続された第３のバラクタダイオード６１５の第１の端子及び第３の微調整コンデンサ６１７の第１の端子に接続され、第３の可変コンデンサ６１３の第２の端子は、第３のＬＴＣＣインダクタ６１１の第１の端子に接続され、第３のＬＴＣＣインダクタ６１１の第２の端子は、第３のバラクタダイオード６１５の第２の端子及び第３の微調整コンデンサ６１７の第２の端子に接続されている。第３の抵抗６２１は、第１の端子が第３のバラクタダイオード６１５の第１の端子、第３の微調整コンデンサ６１７の第１の端子及び第３の可変コンデンサ６１３の第１の端子に接続され、第２の端子がＵＨＦ変調電圧生成端子６３９に接続されている。
【００３１】
第３の可変コンデンサ６１３は、ＵＨＦ変調電圧の範囲を決定し、ＵＨＦ変調電圧生成端子６３９を０から３０ボルトの間にし、第３の微調整コンデンサ６１７によりＵＨＦ変調電圧生成端子６３９の微調整を行う。ＵＨＦトラッキングフィルタ１０５の第１のバラクタダイオード２１３ａ及びＵＨＦ整合回路１０９の第２のバラクタダイオード３１３ａの容量値は、ＵＨＦ変調電圧により調整することができる。このＵＨＦ変調電圧は、第１のバラクタダイオード２１３ａ及び第２のバラクタダイオード３１３ａの容量値と反比例の関係にある。そのため、ＵＨＦ変調電圧の電圧値が大きくなると、第１のバラクタダイオード２１３ａの容量値（及び第２のバラクタダイオード３１３ａの容量値）は小さくなる。
【００３２】
このＶＨＦ変調電圧と関係する回路において、第３のＬＴＣＣインダクタ６２７は、第３の可変コンデンサ６３３と直列接続され、この直列接続された第３のＬＴＣＣインダクタ６２７及び第３の可変コンデンサ６３３は、第３のバラクタダイオード６２９及び第３の微調整コンデンサ６３１と並列接続され、第３の抵抗６３５は、第１の端子が第３のバラクタダイオード６２９、第３の可変コンデンサ６３３及び第３の微調整コンデンサ６３１に接続され、第２の端子がＶＨＦ変調電圧生成端子６４０に接続されている。
【００３３】
第３の可変コンデンサ６３３は、ＶＨＦ変調電圧の範囲を決定し、ＶＨＦ変調電圧生成端子６４０の電圧値を０から３０ボルトの間にし、第３の微調整コンデンサ６３１によりＶＨＦ変調電圧生成端子６４０の電圧値を微調整する。ＶＨＦトラッキングフィルタ１１１の第１のバラクタダイオード４１３ａ及びＶＨＦ整合回路１１５の第２のバラクタダイオード５０９ａの容量値は、ＶＨＦ変調電圧により調整することができる。このＶＨＦ変調電圧は、第１のバラクタダイオード４１３ａ及び第２のバラクタダイオード５０９ａの容量値と反比例の関係にある。そのため、ＶＨＦ変調電圧の電圧値が大きくなるに従い、第１のバラクタダイオード４１３ａの容量値（又は第２のバラクタダイオード５０９ａの容量値）は小さくなり、両者は単調減少関数で表される。
【００３４】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【図面の簡単な説明】
【００３５】
【図１】本発明の好適な一実施形態によるＵＨＦ／ＶＨＦテレビチューナ回路を示すブロック図である。
【図２Ａ】本発明の第１実施形態によるＵＨＦトラッキングフィルタを示す回路図である。
【図２Ｂ】本発明の第１実施形態によるＵＨＦトラッキングフィルタの周波数応答を示すグラフである。
【図３Ａ】本発明の第１実施形態によるＵＨＦ整合回路を示す回路図である。
【図３Ｂ】本発明の第１実施形態によるＵＨＦ整合回路の周波数応答を示すグラフである。
【図４Ａ】本発明の第２実施形態によるＶＨＦトラッキングフィルタを示す回路図である。
【図４Ｂ】本発明の第２実施形態によるＶＨＦトラッキングフィルタの周波数応答を示すグラフである。
【図５Ａ】本発明の第２実施形態によるＶＨＦ整合回路を示す回路図である。
【図５Ｂ】本発明の第２実施形態によるＶＨＦ整合回路の周波数応答を示すグラフである。
【図６】本発明の好適な一実施形態によるシングルコンバージョンチューナ集積回路を示す回路図である。
【符号の説明】
【００３６】
１０１…アンテナ
１０３…プリアンプ
１０５…ＵＨＦトラッキングフィルタ
１０７…第２の増幅器
１０９…ＵＨＦ整合回路
１１１…ＶＨＦトラッキングフィルタ
１１３…第２の増幅器
１１５…ＶＨＦ整合回路
１１７…シングルコンバージョンチューナ集積回路
２０１ａ…コンデンサ
２０３ａ…コンデンサ
２０５ａ…ＬＴＣＣインダクタ
２０７ａ…ＬＴＣＣインダクタ
２０９ａ…第１のＬＴＣＣインダクタ
２１１ａ…コンデンサ
２１３ａ…第１のバラクタダイオード
２１５ａ…微調整コンデンサ
２０１ｂ…変化前の周波数応答
２０３ｂ…変化後の周波数応答
３０１ａ…抵抗
３０３ａ…コンデンサ
３０５ａ…第２のＬＴＣＣインダクタ
３０７ａ…コンデンサ
３０９ａ…コンデンサ
３１１ａ…コンデンサ
３１３ａ…第２のバラクタダイオード
３０１ｂ…変化前の周波数応答
３０３ｂ…変化後の周波数応答
４０１ａ…コンデンサ
４０３ａ…ＬＴＣＣインダクタ
４０５ａ…第１のＬＴＣＣインダクタ
４０７ａ…ＬＴＣＣインダクタ
４１１ａ…コンデンサ
４１３ａ…第１のバラクタダイオード
４１５ａ…微調整コンデンサ
４０１ｂ…変化前の周波数応答
４０３ｂ…変化後の周波数応答
５０１ａ…コンデンサ
５０３ａ…第２のＬＴＣＣインダクタ
５０５ａ…ＬＴＣＣインダクタ
５０７ａ…コンデンサ
５０９ａ…第２のバラクタダイオード
５０１ｂ…最大利得点
５０３ｂ…最大利得点
５０５ｂ…変化前の周波数応答
５０７ｂ…変化後の周波数応答
６０１…コンデンサ
６０３…コンデンサ
６０５…コンデンサ
６０７…コンデンサ
６０９…コンデンサ
６１１…第３のＬＴＣＣインダクタ
６１３…第３の可変コンデンサ
６１５…第３のバラクタダイオード
６１７…第３の微調整コンデンサ
６１９…抵抗
６２１…第３の抵抗
６２３…コンデンサ
６２５…コンデンサ
６２７…第３のＬＴＣＣインダクタ
６２９…第３のバラクタダイオード
６３１…第３の微調整コンデンサ
６３３…第３の可変コンデンサ
６３５…第３の抵抗
６３７…抵抗
６３９…ＵＨＦ変調電圧生成端子
６４０…ＶＨＦ変調電圧生成端子
６４１…ＶＨＦ発振器の入力
６４３…ＶＨＦ発振器の出力
６４５…ＵＨＦ発振器の入力
６４７…ＵＨＦ発振器の出力
６４９…インバータＵＨＦ発振器の出力
６５１…インバータＵＨＦ発振器の入力
６５３…電源端子
【図１】
2008072684.tif 000003
【図２Ａ】
2008072684.tif 000004
【図２Ｂ】
2008072684.tif 000005
【図３Ａ】
2008072684.tif 000006
【図３Ｂ】
2008072684.tif 000007
【図４Ａ】
2008072684.tif 000008
【図４Ｂ】
2008072684.tif 000009
【図５Ａ】
2008072684.tif 000010
【図５Ｂ】
2008072684.tif 000011
【図６】
2008072684.tif 000012